(57)【要約】【課題】本発明は、カバーの内部に配置される基板と基板をガイドする口金との寸法自由度を高めることができる灯具と照明器具を提供することを目的とする。【解決手段】本願の発明に係る灯具は、筒状の透光性のカバーと、一面の側からカバーに向かって光が発せられるように光源が配列されるとともにカバーの内部に配置される基板と、カバーの端部に取り付けられる口金と、口金とつながり、カバーの中に及ぶガイド部とを備え、基板とガイド部とは、カバーの筒軸方向における口金よりも光源の側で、嵌合することを特徴とする。【選択図】図３
2020187987.tif 000002
【特許請求の範囲】
【請求項１】
筒状の透光性のカバーと、
一面の側から前記カバーに向かって光が発せられるように光源が配列されるとともに前記カバーの中に設けられた基板と、
前記カバーの端部に取り付けられる口金と、
前記口金につながり、前記カバーの中に及ぶガイド部と、
を備え、
前記基板と前記ガイド部とは、前記カバーの筒軸方向における、前記口金よりも前記光源の側で嵌合する灯具。
【請求項２】
前記基板の長手方向における端部には凹部が設けられており、
前記ガイド部は尖頭部を有しており、
前記凹部と前記尖頭部が接することによって、前記基板と前記ガイド部が嵌合することを特徴とする請求項１に記載の灯具。
【請求項３】
前記基板の長手方向における端部には尖頭部が設けられており、
前記ガイド部の先端には凹部が設けられており、
前記凹部と前記尖頭部が接することによって、前記基板と前記ガイド部が嵌合することを特徴とする請求項１に記載の灯具。
【請求項４】
前記ガイド部は、
前記一面の反対側である前記基板の他面が前記カバーの内壁に固定された状態で、
前記一面と対向する移動規制部を備えたことを特徴とする請求項１に記載の灯具。
【請求項５】
前記移動規制部は、
前記基板の長手方向における端部の全体を覆うように前記一面と対向した位置に形成されることを特徴とする請求項４に記載の灯具。
【請求項６】
前記ガイド部は、前記移動規制部の側端に設けられた側壁部を備え、
前記側壁部は前記移動規制部から前記他面の側に伸びていることを特徴とする請求項５に記載の灯具。
【請求項７】
前記基板の長手方向の端部には凹部が設けられ、
前記ガイド部は尖頭部を有し、
前記凹部と前記尖頭部が接することで、前記基板と前記ガイド部が嵌合し、
前記尖頭部の上端は前記移動規制部の上端にまで及ぶことを特徴とする請求項４から６のいずれか１項に記載の灯具。
【請求項８】
前記カバーは、主部と、前記主部より内径が小さく前記主部の両端につながっている端部とを有し、
前記ガイド部は、少なくとも一部が前記端部に囲まれた第１部分と、前記第１部分とつながり前記第１部分より前記基板の側に位置し前記主部に囲まれた第２部分とを有し、
前記基板は、前記主部に固定されており、
前記第２部分は前記第１部分よりも下側に突出するとともに、前記基板と嵌合することを特徴とする請求項１から７のいずれか１項に記載の灯具。
【請求項９】
前記第２部分は前記第１部分より厚く形成されており、前記第２部分は厚さ方向全体で前記基板と嵌合できることを特徴とする請求項８に記載の灯具。
【請求項１０】
前記カバーは、主部と、前記主部より内径が小さく前記主部の両端につながっている端部とを有し、
前記ガイド部は、少なくとも一部が前記端部に囲まれた第１部分と、前記第１部分とつながり前記第１部分より前記基板の側に位置し前記主部に囲まれた第２部分とを有し、
前記基板は、前記主部に固定されるとともに、前記基板の長手方向の端部における前記一面の側に凸となる凸部を有し、
前記第２部分は、前記凸部と嵌合することを特徴とする請求項１から７のいずれか１項に記載の灯具。
【請求項１１】
請求項１から１０の何れか１項に記載の灯具と、
前記灯具が着脱自在に取り付けられる器具と
を備えたことを特徴とする照明装置。
【発明の詳細な説明】
【技術分野】
【０００１】
本発明は、灯具とそれを用いた照明装置に関する。
【背景技術】
【０００２】
従来、光源基板が放熱機能を備えた支持体に接着部材を用いて貼り付けられたり、ネジ、リベット等を用いて固定されたりする直管ＬＥＤランプが知られている。また、光源となる発光素子の発光効率の向上等に伴い、支持体を必要としない直管ＬＥＤランプが、例えば、特許文献１に記載されている。
【先行技術文献】
【特許文献】
【０００３】
【特許文献１】特開２０１５−０６５０８３号公報
【発明の概要】
【発明が解決しようとする課題】
【０００４】
特許文献１では、支持体を用いない場合、ＬＥＤの発光方向を所望の方向とするために、どのようにして光源が配置された基板を円筒形の外郭筐体の内部に保持するかについて考慮する必要があるとされ、この課題を解決する一態様として、外郭筐体の長手方向の端部に固定された口金の筒状の口金本体に基板の端部を予め定められた位置にガイドするためのガイド面を有し、口金本体の内部に位置した基板の長手方向の端部は端面のみが口金本体に接触するように構成された照明用光源が示されている。
【０００５】
また、基板が円筒形の外郭筐体の内部における予め定められた位置に配置されない場合、基板が外郭筐体から剥がれて脱落したり、脱落した基板が外郭筐体の内壁に接触して外郭筐体を損傷させてしまったりするおそれがある。
【０００６】
ところで、特許文献１に記載された照明用光源のように、外郭筐体の内部に装着する基板を、口金本体の内部に形成されたガイド面により、外郭筐体の内部における予め定められた位置へガイドする構成では、基板の幅寸法と口金本体の内部の寸法とが、相互に制約を受けてしまうという課題があった。
【０００７】
本発明は、上述のような課題を解決するためになされたもので、カバーの内部に配置される基板と基板をガイドする口金との寸法自由度を高めることができる灯具、及び、照明器具を提供することを目的とする。
【課題を解決するための手段】
【０００８】
本発明の一態様に係る灯具は、筒状の透光性のカバーと、一面の側から該カバーに向かって光が発せられるように光源が配列されるとともに該カバーの内部に配置される基板と、該カバーの端部に取り付けられる口金と、該口金とつながり、該カバーの中に及ぶガイド部と、を備え、該基板と該ガイド部とは、該カバーの筒軸方向における、該口金よりも該光源の側で、嵌合することを特徴とする。
【０００９】
本発明のその他の特徴は以下に説明する。
【発明の効果】
【００１０】
本発明によれば、カバーの内部に配置される基板とガイド部とは、カバーの筒軸方向における、口金よりも灯具の中央寄りで嵌合させる構成としたので、基板と基板をガイドする口金との寸法自由度を高めることができる。
【図面の簡単な説明】
【００１１】
【図１】実施の形態１に係る照明装置の斜視図である。
【図２】灯具の斜視図である。
【図３】灯具の一部を示した断面斜視図である。
【図４】図４Ａは図３の灯具の別の断面図である。図４Ｂは図４ＡのＢ−Ｂ線における断面図である。図４Ｃは図４ＡのＣ−Ｃ線における断面図である。
【図５】図５Ａは実施の形態２に係る灯具の一部断面図である。図５Ｂは図５Ａの基板長手方向に垂直な面における断面図である。
【図６】図６Ａは実施の形態３に係る灯具の一部断面図である。図６Ｂは図６Ａの基板長手方向に垂直な面における断面図である。
【図７】図７Ａは実施の形態４に係る灯具の一部断面図である。図７Ｂは図７Ａの基板長手方向に垂直な面における断面図である。
【図８】実施の形態５に係る灯具の斜視図である。
【図９】図９Ａは実施の形態６に係る灯具の一部断面図である。図９Ｂは図９Ａの一部断面図である。図９Ｃは図９Ｂの平面図である。
【図１０】図１０Ａは実施の形態７に係る灯具の一部断面図である。図１０Ｂは図１０Ａの一部断面図である。図１０Ｃは図１０Ｂの平面図である。
【発明を実施するための形態】
【００１２】
本発明の実施の形態に係る灯具と照明装置について図面を参照して説明する。同じ又は対応する構成要素には同じ符号を付し、説明の繰り返しを省略する場合がある。
【００１３】
実施の形態１．
図１は、実施の形態１に係る照明装置１の斜視図である。照明装置１は、器具２と器具２に対して着脱自在に装着される灯具３とを備えている。灯具３は、例えば器具２から電力が供給される照明用光源である。図１に示すように、灯具３は、外郭筐体を構成するカバー３０と、カバー３０の両端に取り付けられた保持口金４０を有する。灯具３は、例えば直管ＬＥＤランプである。器具２は、灯具３の両端を保持する一組のソケットを有する。一組のソケットは、例えば、保持ソケット２Ａと給電ソケット２Ｂとからなる。この場合、灯具３は、一方の端部が保持ソケット２Ａで保持され、他方の端部が給電ソケット２Ｂで保持される。一例によれば、保持ソケット２Ａは灯具３を保持するための端子（図示は省略）を有し、給電ソケット２Ｂは灯具３に電力を供給する（給電する）ための端子（図示は省略）を有する。保持ソケット２Ａ端子は、灯具３を接地する機能を兼ねてもよい。器具２としては、灯具３を着脱自在に取り付ける様々なタイプの器具を採用し得る。
【００１４】
図２は、灯具３の斜視図である。図２に示すように、実施の形態１に係る灯具３は、筒状の透光性のカバー３０と、カバー３０の内部に配置される光源ユニット６０と、カバー３０の一方の端部（一端）に取り付けられる保持口金４０と、カバー３０の他方の端部（他端）に取り付けられる給電口金５０とを備えている。
【００１５】
カバー３０の形状は、例えば長尺状であり筒状（管状）である。カバー３０は透光性を有する。カバー３０は拡散性を有するものであってもよい。
カバー３０は、ガラス、樹脂、或いはこれらを含む材料を用いて形成することができる。カバー３０は、例えば汎用のガラス管を用いてもよい。カバー３０の材料として、例えば、シリカ（ＳｉＯ２）が７０％〜７２％で構成されたソーダ石灰ガラスが用いることができる。また、カバー３０は、日本工業規格（ＪＩＳ）に規定されている蛍光ランプの製造に用いられる両端封止前の直管と同じ寸法規格の直管を用いてもよい。さらに、カバー３０の材料として、例えば、耐熱性の樹脂材料を用いてもよい。カバー３０の材料は上記材料に限定されない。
【００１６】
図２においてカバー３０の左側であるカバー３０の一方の端部に取り付けられる保持口金４０は、周壁部４０ａ、底壁部４０ｂ及び端子４０ｃを備えている。保持口金４０は、底壁部４０ｂと対向する部分が開口しており、カバー３０の一方の端部はこの開口から保持口金４０に嵌め込まれる。周壁部４０ａは、例えば円筒状を呈し、カバー３０の端部を覆う部分である。底壁部４０ｂは、周壁部４０ａにつながり、カバー３０の一方の端部に形成された開口を塞ぐ。周壁部４０ａと底壁部４０ｂの材料として、電気絶縁性の樹脂材料又はセラミック材料等を使用することができる。底壁部４０ｂには端子４０ｃが設けられる。この端子４０ｃは底壁部４０ｂの表面から保持口金４０の筒軸に沿って突出する。保持口金４０は、例えば、電気絶縁性を有する周壁部４０ａ及び底壁部４０ｂ、並びに導電性を有する端子４０ｃを一体的に形成することができる。保持口金４０は、端子４０ｃの根元部分が底壁部４０ｂに埋め込まれた構造を有し、端子４０ｃは、例えば、インサート成形によって底壁部４０ｂと一体的に形成することができる。保持口金４０は保持ソケット２Ａに保持される。保持口金４０は保持ソケット２Ａに保持されることによって、灯具３を接地するための電気的な経路を形成してもよい。
【００１７】
図２においてカバー３０の右側であるカバー３０の他方の端部に取り付けられる給電口金５０は、周壁部５０ａ、底壁部５０ｂ及び一対の端子５０ｃを備えている。実施の形態１では、給電口金５０の周壁部５０ａ及び底壁部５０ｂは、実質的に、保持口金４０の周壁部４０ａ及び底壁部４０ｂと同じ態様であるが、形状、或いは材質が異なる態様であってもよい。給電口金５０は、例えば、電気絶縁性を有する周壁部５０ａ及び底壁部５０ｂ、並びに導電性を有する端子５０ｃを一体的に形成することができる。給電口金５０は、端子５０ｃが底壁部５０ｂを貫通した構造を有し、端子５０ｃは、例えば、インサート成形によって底壁部５０ｂと一体的に形成することができる。給電口金５０は給電ソケット２Ｂに保持される。一対の端子５０ｃは、給電ソケット２Ｂに保持された状態で灯具３に供給される電力の経路となる給電端子である。すなわち、給電口金５０と給電ソケット２Ｂとによって、灯具３に給電するための電気的な経路を形成し得る。
【００１８】
保持口金４０及び給電口金５０は、上述したタイプに限定されない。例えば、図２において灯具３の左側に設けられた保持口金４０としてＧＸ１６タイプ、Ｇ１３タイプ又はＴ５タイプといった様々な種類の口金を採用し得る。また、例えば、図２において灯具３の右側に設けられた給電口金５０としてＧＸ１６タイプ、Ｇ１３タイプ又はＴ５タイプといった様々な種類の口金を採用し得る。保持口金４０と給電口金５０に代えて任意の口金を設けることができる。灯具３が器具２に適切に取り付けられると、一対の端子５０ｃは給電ソケット２Ｂと電気的に接続される。
【００１９】
光源ユニット６０は、カバー３０の中に設けられた基板６２と、基板６２の上面である一面に配列された光源６１とを備えている。光源６１が配列された基板６２の上面である一面から光が発せられる。図２では、カバー３０の内部の簡素化された構成を破線で示している。基板６２は、カバー３０の内部空間の形状に合わせて長尺状に形成され得る。基板６２の基材には、ガラスエポキシ材料、紙フェノール材料、コンポジット材料又はアルミニウム等の金属材料等を使用し得る。基板６２の厚さは、例えば１ｍｍ程度である。基板６２の幅、すなわち短手方向Ｙの長さは、一定としたり、基板６２の長手方向Ｘにおける一端または両端において短くしたりすることができる。基板６２の長手方向Ｘにおける端部には、反対側の端部に向かって凹んだ凹部６３が設けられている。具体的には、凹部６３は、基板６２の長手方向Ｘにおける端部がＶ字形に切り欠かれている。
【００２０】
基板６２の実装面である上面に、配線パターンが形成される。実施の形態１では、基板６２の上面に、基板６２の複数の光源６１として、面実装タイプの発光ダイオード（ＬＥＤ）が長手方向Ｘに沿って実装される。光源６１は、ＬＥＤの他、レーザ素子或いは有機ＥＬなどを用いることができ、種々の実装態様に対応し得る。例えば、端部に配置したレーザ素子から導光部を経由して光を出射させる態様であったり、フィルム状の有機ＥＬを基板６２に貼り付ける態様であったりしてもよい。有機ＥＬは、フレキシブルタイプでもリジットタイプでもよい。
【００２１】
光源６１は基板６２に設けられた配線パターンに電気的に接続され、光源回路が形成される。また、図示は省略するが、基板６２の実装面に光源６１を点灯させるための回路部品を実装してもよい。回路部品は、例えば整流ダイオード、ヒューズ及び抵抗等を含む。回路部品は、配線パターンによって電気接続され給電回路が形成される。光源６１及び回路部品と基板６２の表面に設けられた配線パターンとの接続は、例えば半田付け等によって行われる。基板６２に設けられた配線パターンは、図２においてカバー３０の右側に設けられた給電口金５０の一対の端子５０ｃに電気的に接続される。この一対の端子５０ｃから配線パターンに点灯電力が供給され、光源６１が点灯する。
【００２２】
図３は、灯具３の一端側の一部を示す断面斜視図である。図３では、端子４０ｃを省略している。図３に示すように、保持口金４０はガイド部４４を有している。ガイド部４４は、保持口金４０につながり、カバー３０の中に及ぶものである。具体的には、ガイド部４４は、周壁部４０ａ又は底壁部４０ｂにつながる。ガイド部４４は、保持口金４０の周壁部４０ａ及び底壁部４０ｂと同じ材料を用いて、これらと一体的に形成することができる。或いは、別の例によれば、保持口金４０とは別体のガイド部４４を周壁部４０ａ又は底壁部４０ｂに取り付けてもよい。
【００２３】
図３のガイド部４４は、本体部４４ａと尖頭部４４ｂを備えている。本体部４４ａの大部分は保持口金４０に覆われている。尖頭部４４ｂは、本体部４４ａよりも基板６２の側に位置している。そのため、尖頭部４４ｂの少なくとも一部は、保持口金４０よりも光源６１の側に位置しており、尖頭部４４ｂの先端は保持口金４０よりも光源６１の側に位置する。尖頭部４４ｂは、基板６２の凹部６３の形状に対応した形状となっており、尖頭部４４ｂと凹部６３とが接することによって、基板６２とガイド部４４とが嵌合している。基板６２とガイド部４４とは、カバー３０の長手方向Ｘにおける、保持口金４０よりも光源６１の側で、嵌合している。この嵌合によって基板６２と保持口金４０との相互の位置決めがなされる。基板６２の長手方向Ｘとは図３の矢印Ｘで示される方向である。
【００２４】
一例によると、基板６２の短手方向Ｙにおける中央領域に凹部６３を形成することができる。基板６２の短手方向Ｙとは図３の矢印Ｙで示される方向である。つまり、基板６２の短手方向Ｙの寸法がどのようなものであっても、基板６２に凹部６３を形成することができる。尖頭部４４ｂと凹部６３の嵌合位置を、保持口金４０の短手方向Ｙにおける中央にすることによって、基板６２の短手方向Ｙにおける端部の形状の影響を受けずに当該嵌合を実現できる。保持口金４０の短手方向Ｙは図３の矢印Ｙで示される方向である。
【００２５】
図４Ａは、図３の灯具３の別の断面図である。図４Ａは、灯具３の長手方向Ｘに垂直な面における断面図であり、後述する図４Ｂ或いは図４ＣのＡ−Ａ線における断面図である。図４Ａでは、端子４０ｃを省略している。図４Ａには、カバー３０の端部に取り付けられた保持口金４０が示されている。実施の形態１では、カバー３０の筒軸（軸心）と保持口金４０の筒軸（軸心）とが重なっている。図４Ａに示すように、基板６２の下面である他面は、接着剤７０によってカバー３０の内壁と接着固定されている。つまり、灯具３は基板６２をカバー３０の内部に配置するための支持体を用いず、基板６２がカバー３０によって直接支持される構成となっている。このような構成はヒートシンクレスの構成とも称される。図４ＡのＢ−Ｂで矢示された一点鎖線は保持口金４０の短手方向Ｙにおける中央を示す。図４Ａに示すように、保持口金４０の短手方向Ｙにおける中央領域にガイド部４４が設けられている。
【００２６】
図４Ｂは、図４ＡのＢ−Ｂ線における断面図である。図４Ｂでは、端子４０ｃを省略している。図４Ｂに示すように、ガイド部４４は、周壁部４０ａ及び底壁部４０ｂと一体形成されている。そして、尖頭部４４ｂは、保持口金４０よりも光源６１の側に及んでいる。
【００２７】
図４Ｃは、図４ＡのＣ−Ｃ線における断面図である。図４Ｃでは、端子４０ｃを省略している。図４Ｃに示すように、基板６２の短手方向Ｙにおける中央領域に凹部６３が設けられている。図４ＣのＢ−Ｂで矢示された一点鎖線は保持口金４０の短手方向Ｙにおける中央を示し、この一点鎖線とガイド部４４の長手方向Ｘとが一致している。
【００２８】
図示は省略するが、図２における灯具３の右側に設けられた給電口金５０にも上述したガイド部４４と同様のガイド部が設けられている。そのため、基板６２は長手方向Ｘにおける左端と右端との両方の端部がガイド部と嵌合している。
【００２９】
なお、図３及び図４には、基板６２の長手方向Ｘの端部において、尖頭部４４ｂと凹部６３とが一箇所で嵌合する態様が図示されている。別の例によれば、基板６２の長手方向Ｘの端部において、尖頭部と凹部とが嵌合する部分を２箇所以上設けることができる。
【００３０】
また、尖頭部と凹部とは配置される位置を逆転してもよい。具体的には、基板６２の長手方向Ｘの端部に尖頭部を設け、ガイド部４４の先端に凹部を設け、凹部と尖頭部を接触させ、基板とガイド部を嵌合させることができる。
【００３１】
上述した灯具３の組み立ての方法としては、基板６２がカバー３０の内壁に接着固定された状態で、基板６２に左右どちらかにガイド部を嵌合させることによって保持口金４０或いは給電口金５０を位置合わせしながらカバー３０の端部に装着することができる。また、別の例では、カバー３０の端部に保持口金４０或いは給電口金５０が装着された状態で、ガイド部に基板６２を嵌合させることによって基板６２を位置合わせしながらカバー３０の内壁に接着固定してもよい。そして、灯具３の組み立ては、上記の組み立て方法を組み合わせてもよい。
【００３２】
図示は省略するが、灯具は電源基板を含む電源装置を有していてもよい。この場合、基板と結合した電源基板に凹部又は尖頭部を設けて、当該電源基板の凹部又は尖頭部をガイド部に嵌合させてもよい。また、図示は省略するが、灯具は電源装置以外の付加機能装置を有していてもよい。そのような付加機能装置は付加機能基板を含む。この場合、基板と結合した付加機能基板に凹部又は尖頭部を設けて、当該付加機能基板の凹部又は尖頭部をガイド部に嵌合させてもよい。
【００３３】
実施の形態１で説明した変形は以下の実施の形態に係る灯具と照明装置にも応用できる。以下の実施の形態に係る灯具と照明装置は、実施の形態１との相違点を中心に説明し、実施の形態１との共通点は同様の符号を付し説明を省略することがある。
【００３４】
実施の形態２．
図５Ａは、実施の形態２に係る灯具３の一端側の一部を示す断面斜視図である。図５Ａでは、端子４０ｃを省略している。ガイド部４４は、基板６２の一面と近接した位置に形成される移動規制部４４ｃを備えている。移動規制部４４ｃは基板６２がＺ正方向に移動することを防止する。移動規制部４４ｃは、基板６２が長手方向Ｘを中心軸として回転することを防止する機能も備える。図５Ｂは、図５Ａの灯具３の長手方向Ｘに垂直な面における断面図である。図５Ｂでは、端子４０ｃを省略している。基板６２の下面である他面は、接着剤７０によってカバー３０の内壁と固定されている。
【００３５】
移動規制部４４ｃを設けることによって、万が一光源ユニット６０がカバー３０の内壁から剥離した場合であっても、Ｚ正方向への移動が規制され保持されるので、光源６１が直接カバー３０に接触してカバー３０を溶融させたり損傷させたりするおそれがない。
【００３６】
実施の形態３． 
図６Ａは、実施の形態３に係る灯具３の一端側の一部を示す断面斜視図である。図６Ａでは、端子４０ｃを省略している。ガイド部４４は、基板６２の上面の直上に形成される移動規制部４４ｄを備えている。移動規制部４４ｄは、口金の短手方向Ｙに沿った長さ寸法が、基板６２の短手方向Ｙに沿った長さ寸法より大きい。換言すると、移動規制部４４ｄの幅寸法は、基板６２の幅寸法より大きい。つまり、移動規制部４４ｄは基板６２の長手方向Ｘにおける端部の全体を覆うように基板６２の一面と近接した位置に形成される。さらに、実施の形態３のガイド部４４は、一対の側壁部４４ｅを備えている。側壁部４４ｅは、移動規制部４４ｄの側端に設けられている。
【００３７】
図６Ｂは、図６Ａの灯具３の長手方向Ｘに垂直な面における断面図である。図６Ｂでは、端子４０ｃを省略している。移動規制部４４ｄは基板６２の長手方向Ｘにおける端部の全体を覆うように基板６２の一面と近接した位置に配置されるので、基板６２がＺ正方向に移動することを防止する。ガイド部４４には、移動規制部４４ｄの両側端につながる一対の側壁部４４ｅが形成されている。側壁部４４ｅは移動規制部４４ｄからＺ負方向側に伸びている。側壁部４４ｅは、基板６２の一面よりもＺ負方向側に伸びていると好ましい。具体的には、側壁部４４ｅは、接着剤７０で固定された基板６２の側壁に対向する程度に長く形成することができる。
【００３８】
移動規制部４４ｃ及び側壁部４４ｅを設けることによって、万が一光源ユニット６０がカバー３０の内壁から剥離した場合であっても、Ｚ正方向への移動が規制されるとともに、基板６２の短手方向Ｙに沿った移動が側壁部４４ｅによって制限されるので、基板６２と移動規制部４４ｄとは確実に接触し、光源ユニット６０は移動規制部４４ｄに保持される。
【００３９】
実施の形態４．
図７Ａは、実施の形態４に係る灯具３の一端側の一部を示す断面斜視図である。図７Ｂは、図７Ａの灯具３の長手方向Ｘに垂直な面における断面図である。図７Ａ及び図７Ｂでは、端子４０ｃを省略している。図７Ａ及び図７Ｂに示すように、実施の形態４のガイド部４４は、尖頭部４４ｂの上端が移動規制部４４ｄの上端にまで及んでおり、Ｚ方向における、尖頭部４４ｂの上面と移動規制部４４ｄの上面とが一致している。その結果、ガイド部４４の先端側にはスリットが形成される。
【００４０】
光源６１から発せられる光の一部は、このスリットを通過してカバー３０に到達する。すなわち、実施の形態４に係る灯具３は、スリットを通過する光がカバー３０の外部に導かれることによって、長手方向Ｘにおける端部側の光量を増加させることができる。灯具３は、このスリットによって、ガイド部４４にスリットが形成されない場合と比べて、光の利用効率を向上させることができ、特に長手方向Ｘにおける端部側を明るくすることができる。
【００４１】
なお、図７Ｂに示すように、側壁部４４ｅは、実施の形態６と同様に、接着剤７０で固定された基板６２の側壁に対向する程度に長く形成することができる。
【００４２】
実施の形態５．
図８は、実施の形態５に係る灯具３の一端側を示す斜視図である。図８において、カバー３０と保持口金４０の内部の一部を破線で示している。図８に示す保持口金４０は、２つの端子４０ｄ、４０ｅを有する、所謂Ｇ１３Ｈタイプの口金である。端子４０ｄ、４０ｅに代えて、コネクタを利用したり、口出し線を引き出したりしてもよい。灯具３は、保持口金４０としては様々なタイプの口金を採用することができる。
【００４３】
実施の形態６．
図９Ａは、実施の形態６に係る灯具３の一端側の一部を示す断面斜視図である。図９Ａでは、端子４０ｃを省略している。カバー３０は、主部３０ａと、主部３０ａより内径が小さい端部３０ｂと、を有している。端部３０ｂは、主部３０ａの両端につながって形成され、保持口金４０の周壁部４０ａに覆われている。このように主部３０ａよりも端部３０ｂで内径が小さくなっているカバー３０はネックフォーム管とも称される。ネックフォーム管を用いた灯具３は端部がコンパクトになるため、器具２への取付性と意匠性の面において優れている。
【００４４】
ガイド部４４は、第１部分４４Ａと第２部分４４Ｂを備えている。第１部分４４Ａは少なくとも一部が端部３０ｂに囲まれている。第２部分４４Ｂは、第１部分４４Ａとつながり、第１部分４４Ａより基板６２の側に位置し、主部３０ａに囲まれた部分である。第２部分４４Ｂが基板６２の凹部６３と嵌合したことで、基板６２の位置が決められている。
【００４５】
図９Ｂは、灯具３の一端側の一部のＺ方向に沿った断面を示す断面図であり、後述する図９ＣのＢ−Ｂ線における断面図である。図９Ｂでは、端子４０ｃを省略している。第２部分４４Ｂは第１部分４４ＡよりもＺ負方向の側に突出している。その結果、第２部分４４Ｂの下面４４ＢＢは、第１部分４４Ａの下面４４ＡＡよりも下側に位置している。基板６２は、カバー３０の主部３０ａに、例えば接着剤７０を用いて接着固定されている。
【００４６】
実施の形態６では、第２部分４４Ｂを第１部分４４Ａより厚く形成して、第２部分４４Ｂは厚さ方向全体で基板６２と嵌合できるようにした。このような嵌合を可能とするために、第２部分４４Ｂの一部は、基板６２の側面に対向する。一例によれば、第２部分４４Ｂと基板６２は、下面４４ＡＡより下側で嵌合する。下側とは下面４４ＡＡよりＺ負方向の側である。
【００４７】
図９Ｃは、図９ＢのＣ−Ｃ線における断面図である。図９Ｃでは、端子４０ｃを省略している。一点鎖線で示された灯具３の長手方向と重なるカバー３０の長手方向Ｘにおける、第２部分４４Ｂと凹部６３の嵌合する位置は、保持口金４０よりも光源６１の側である。ネックフォーム管においては基板６２を保持口金４０に囲まれる位置に配置することはできない。しかし、第２部分４４Ｂを含むガイド部４４が、カバー３０の内部の主部３０ａに囲まれる位置まで及ぶことによって、ネックフォーム管を用いた灯具３におけるガイド部４４と基板６２との嵌合が可能となる。
【００４８】
実施の形態７．
図１０Ａは、実施の形態７に係る灯具３の一端側の一部を示す断面斜視図である。図１０Ａでは、端子４０ｃを省略している。実施の形態７は、実施の形態６と同様にネックフォーム管であるカバー３０を用いている。実施の形態７では、基板６２は、板状部６２Ｂと、その上面である一面に設けられた凸部６２Ａを備えている。凸部６２Ａは、板状部６２ＢよりもＺ正方向の側に凸となっている。凸部６２Ａは例えば板状部６２Ｂの上に設けられたブロックである。
【００４９】
凸部６２Ａは、ガイド部４４と嵌合するために保持口金４０の側に形成された凹部６２ａを備えている。この場合、板状部６２Ｂの凹部は省略してもよい。ガイド部４４の第２部分４４Ｃが凸部６２Ａの凹部６２ａと嵌合している。この嵌合によって基板６２と保持口金４０との相互の位置決めがなされる。
【００５０】
図１０Ｂは、灯具３の一端側の一部のＺ方向に沿った断面を示す断面図であり、後述する図１０ＣのＢ−Ｂ線における断面図である。図１０Ｂでは、端子４０ｃを省略している。基板６２は、カバー３０の主部３０ａに、例えば接着剤７０を用いて接着固定されている。実施の形態７では、ガイド部４４の厚みは均一とすることができる。この場合、第１部分４４Ａの下面４４ＡＡと、第２部分４４Ｃの下面４４ＣＣは同じレベルにある。一例によれば、第２部分４４Ｃは、板状部６２Ｂの側面に対向せず、凸部６２Ａに対向する。凸部６２Ａは第２部分４４Ｃと嵌合する部分なので、凸部６２Ａの少なくとも一部は下面４４ＣＣよりも上に位置する。
【００５１】
図１０Ｃは、図１０ＢのＣ−Ｃ線における断面図である。図９Ｃでは、端子４０ｃを省略している。一点鎖線で示された灯具３の長手方向と重なるカバー３０の長手方向Ｘにおいて、第２部分４４Ｃと凹部６２ａの嵌合位置は、保持口金４０よりも光源６１の側である。そのため、ネックフォーム管におけるガイド部４４と基板６２の嵌合が可能となる。
【００５２】
ここまでの全ての実施形態で説明したガイド部について、様々な変形が可能である。例えば、Ｘ方向から見て、ガイド部の形状は、灯具３の長手方向Ｘに垂直な面における断面形状を、Ｔ字形、コの字形又はＬ字形などの形状とすることができる。また、基板６２とガイド部４４とが嵌合する位置は、灯具３の長手方向Ｘにおける、保持口金４０よりも光源６１の側の任意の位置とすることができる。
【００５３】
以上、本発明の実施の形態、及び変形例について説明したが、これらの実施の形態、及び変形例のうち、２つ以上を組み合わせて実施しても構わない。或いは、これらの実施の形態のうち、１つを部分的に実施しても構わない。或いは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００５４】
１  照明装置、２  器具、２Ａ  保持ソケット、２Ｂ  給電ソケット、３  灯具、３０  カバー、４０  保持口金、４０ａ  周壁部、４０ｂ  底壁部、４０ｃ，４０ｄ，４０ｅ  端子、４４  ガイド部、４４ａ  本体部、４４ｂ  尖頭部、４４ｄ  移動規制部、４４ｅ  側壁部、４４ｆ  スリット、４４Ａ  第１部分、４４ＡＡ  （４４Ａの）下面、４４Ｂ  第２部分、４４ＢＢ  （４４Ｂの）下面、４４Ｃ  第２部分、４４ＣＣ  （４４Ｃの）下面、５０  給電口金、５０ａ  周壁部、５０ｂ  底壁部、５０ｃ，５０ｄ，５０ｅ  端子、６０  光源ユニット、６１  光源、６２  基板、６２Ａ  凸部、６２ａ  （６２Ａの）凹部、６２Ｂ  板状部、６３  凹部、７０  接着剤
【図１】
2020187987.tif 000003
【図２】
2020187987.tif 000004
【図３】
2020187987.tif 000005
【図４】
2020187987.tif 000006
【図５】
2020187987.tif 000007
【図６】
2020187987.tif 000008
【図７】
2020187987.tif 000009
【図８】
2020187987.tif 000010
【図９】
2020187987.tif 000011
【図１０】
2020187987.tif 000012